(57)【要約】【課題】簡易な構造でグリルシャッタの単位グリルに容易に後付施設することができるシャッタシェードを提供する。【解決手段】グリルシャッタの単位グリルに施設されるシャッタシェードにおいて、長手方向の寸法ｐが単位グリルのグリル開口部の長手方向寸法未満であり、短手方向の寸法ｑがグリル開口部の短手方向寸法未満である遮蔽板１００と、それぞれ略方形の取り付け板１１０，１２０，１３０，１４０，１５０とを備え、それぞれの取り付け板は、遮蔽板の裏面１００ｂに当接固定された接合部１１１，１２１，１３１，１４１，１５１と、遮蔽板の長手方向の端辺１００ｅまたは端辺１００ｆから突出してグリルシャッタのパイプ周面に巻き付けられる巻き付け部１１２，１２２，１３２，１４２，１５２とを有する。【選択図】図２
0003165748.tif 000002
【実用新案登録請求の範囲】
【請求項１】
グリルシャッタの単位グリルに施設されるシャッタシェードにおいて、
長手方向の寸法が前記単位グリルのグリル開口部の長手方向寸法未満であり、短手方向の寸法が前記グリル開口部の短手方向寸法未満である遮蔽板と、
それぞれ略方形の第１ないし第５の取り付け板と
を備え、
それぞれの前記取り付け板は、前記遮蔽板の裏面に当接固定された接合部と、前記遮蔽板の長手方向の第１端辺または第２端辺から突出して前記グリルシャッタのパイプ周面に巻き付けられる巻き付け部とを有し、
前記第１の取り付け板は、前記第１端辺のみから突出するように、前記遮蔽板の短手方向の第３端辺の近傍に設置されており、
前記第２の取り付け板は、前記第１端辺のみから突出するように、前記遮蔽板の短手方向の第４端辺の近傍に設置されており、
前記第３の取り付け板は、前記第２端辺のみから突出するように、前記第１取り付け板の幅寸法分以上、前記第１の取り付け板よりも前記遮蔽板の長手方向中央寄りに設置されており、
前記第４の取り付け板は、前記第２端辺のみから突出するように、前記第２取り付け板の幅寸法分以上、前記第２の取り付け板よりも前記遮蔽板の長手方向中央寄りに設置されており、
前記第５の取り付け板は、前記第１端辺のみから突出するように、前記遮蔽板の長手方向の略中央位置に設置されている
ことを特徴とするシャッタシェード。
【請求項２】
グリルシャッタの単位グリルに施設されるシャッタシェードにおいて、
長手方向の寸法が前記単位グリルのグリル開口部の長手方向寸法未満であり、短手方向の寸法が前記グリル開口部の短手方向寸法未満である遮蔽板と、
それぞれ略方形の第１ないし第４の取り付け板と
を備え、
それぞれの前記取り付け板は、前記遮蔽板の裏面に当接固定された接合部と、前記遮蔽板の長手方向の第１端辺または第２端辺から突出して前記グリルシャッタのパイプ周面に巻き付けられる巻き付け部とを有し、
前記第１および第２の取り付け板は、それぞれ前記第１端辺のみから突出するように設置されており、
前記第３および第４の取り付け板は、それぞれ前記第２端辺のみから突出するように設置されている
ことを特徴とするシャッタシェード。
【請求項３】
それぞれの前記接合部がリベット止めによって前記遮蔽板の裏面に固定されており、
前記遮蔽板または／およびそれぞれの前記取り付け板がアルミ板であり、
それぞれの前記取り付け板の板厚が前記遮蔽板の板厚よりも薄い
ことを特徴とする請求項１または２に記載のシャッタシェード。
【請求項４】
請求項１ないし３のいずれか一つに記載のシャッタシェードを１つ以上施設したことを特徴とするグリルシャッタ。
【考案の詳細な説明】
【技術分野】
【０００１】
本考案は、邸宅の門扉や車庫の出入口、あるいは商店の出入口などに設けられるグリルシャッタに関連し、特に、簡単な構造で上記グリルシャッタの単位グリルに容易に後付施設が可能なシャッタシェードに関するものである。
【背景技術】
【０００２】
グリルシャッタは、シャッタ本体と、このシャッタ本体の両側にそれぞれ設けられた２つのシャッタガイドと、上記シャッタ本体の天側に設けられたシャッタ昇降機とを備えて構成されている。
【０００３】
上記シャッタ本体は、水平方向を長手方向として、垂直方向に等間隔で配置された複数本のパイプを、垂直方向を長手方向として、水平方向に等間隔で配置されたリンクチェーンに挿通した構成である。
【０００４】
グリルシャッタにおいては、シャッタ昇降機を正転駆動することによって、シャッタ本体を巻き上げてシャッタを開き、上記シャッタ昇降機を逆転駆動することによって、上記巻き上げたシャッタを降下させてシャッタを閉じる。
【０００５】
このようなグリルシャッタのシャッタ本体においては、パイプとリンクチェーンによって方形に区切られた複数の単位グリルが碁盤の目のように配列され、グリル領域を構成している。
従って、グリルシャッタでは、シャッタを閉じたときにも、これら単位グリルのグリル開口部を通して、シャッタの内側を透視することができるようになっている。
【０００６】
しかしながら、ユーザによっては、上記単位グリルの配列によるシャッタ本体のグリル領域の内、特定領域を目隠しして、その特定領域からは透視できないようにして欲しいと要望する者もあった。
【０００７】
上記の要望に応えるために、従来のグリルシャッタには、特定位置の単位グリルにそれぞれ開閉可能なスクリーン装置を設け、それらのスクリーン装置を閉じることによって、上記特定領域に属する単位グリルを遮蔽する構成のものがあった（例えば、特許文献１参照）。
【先行技術文献】
【特許文献】
【０００８】
【特許文献１】特開平１１−１７３０３６号公報
【考案の概要】
【考案が解決しようとする課題】
【０００９】
しかしながら、グリルシャッタはオーダーメイドであることが多く、このため単位グリルの寸法が個々に異なることが多いので、上記従来のスクリーン装置の寸法も単位グリルの寸法に合せる必要がある。また、上記従来のスクリーン装置をグリルシャッタに設けるには、パイプやリンクチェーンに加工を施す必要があり、スクリーン装置の施設部分の構造が複雑になる。このため、上記従来のスクリーン装置を設けたグリルシャッタを購入しようとすると、高価なものになるという課題があった。
【００１０】
さらに、上記従来のスクリーン装置は、上記のごとき構造であるため、すでに設置されているグリルシャッタに、あとから設けることは困難である。これを解消するために、すでに設置されているグリルシャッタの上記特定領域に属する単位グリルに、あとから何らかの遮蔽物を取り付けることが考えられる。
【００１１】
しかし、上記遮蔽物を取り付けることによってシャッタ本体の全体重量が極端に増すことになると、シャッタ巻き上げの障害になってしまうおそれがある。また、上記遮蔽物が、リンクチェーンから突出する構造のものである場合にも、シャッタ巻き上げの障害になってしまうおそれがある。
【００１２】
本考案は、このような従来の課題を解決するためになされたものであり、簡易な構造でグリルシャッタの単位グリルに容易に後付施設することができるシャッタシェードを提供することを目的としてなされたものである。
【課題を解決するための手段】
【００１３】
上記目的を達成するために、本考案の第１のシャッタシェードは、グリルシャッタの単位グリルに施設されるシャッタシェードにおいて、長手方向の寸法が前記単位グリルのグリル開口部の長手方向寸法未満であり、短手方向の寸法が前記グリル開口部の短手方向寸法未満である遮蔽板と、それぞれ略方形の第１ないし第５の取り付け板とを備え、それぞれの前記取り付け板は、前記遮蔽板の裏面に当接固定された接合部と、前記遮蔽板の長手方向の第１端辺または第２端辺から突出して前記グリルシャッタのパイプ周面に巻き付けられる巻き付け部とを有し、前記第１の取り付け板は、前記第１端辺のみから突出するように、前記遮蔽板の短手方向の第３端辺の近傍に設置されており、前記第２の取り付け板は、前記第１端辺のみから突出するように、前記遮蔽板の短手方向の第４端辺の近傍に設置されており、前記第３の取り付け板は、前記第２端辺のみから突出するように、前記第１取り付け板の幅寸法分以上、前記第１の取り付け板よりも前記遮蔽板の長手方向中央寄りに設置されており、前記第４の取り付け板は、前記第２端辺のみから突出するように、前記第２取り付け板の幅寸法分以上、前記第２の取り付け板よりも前記遮蔽板の長手方向中央寄りに設置されており、前記第５の取り付け板は、前記第１端辺のみから突出するように、前記遮蔽板の長手方向の略中央位置に設置されていることを特徴とするものである。
【００１４】
本考案の第２のシャッタシェードは、グリルシャッタの単位グリルに施設されるシャッタシェードにおいて、長手方向の寸法が前記単位グリルのグリル開口部の長手方向寸法未満であり、短手方向の寸法が前記グリル開口部の短手方向寸法未満である遮蔽板と、それぞれ略方形の第１ないし第４の取り付け板とを備え、それぞれの前記取り付け板は、前記遮蔽板の裏面に当接固定された接合部と、前記遮蔽板の長手方向の第１端辺または第２端辺から突出して前記グリルシャッタのパイプ周面に巻き付けられる巻き付け部とを有し、前記第１および第２の取り付け板は、それぞれ前記第１端辺のみから突出するように設置されており、前記第３および第４の取り付け板は、それぞれ前記第２端辺のみから突出するように設置されていることを特徴とするものである。
【００１５】
本考案の第３のシャッタシェードは、上記本考案の第１または第２のシャッタシェードにおいて、それぞれの前記接合部がリベット止めによって前記遮蔽板の裏面に固定されており、前記遮蔽板または／およびそれぞれの前記取り付け板がアルミ板であり、それぞれの前記取り付け板の板厚が前記遮蔽板の板厚よりも薄いことを特徴とするものである。
【００１６】
本考案のグリルシャッタは、上記本考案の第１ないし第３のいずれかのシャッタシェードを１つ以上施設したことを特徴とするものである。
【考案の効果】
【００１７】
本考案は、遮蔽板に複数枚の取り付け板を固定したのみの簡易な構造であり、これらの取り付け板の巻き付け部をグリルシャッタのパイプに巻き付けることのみによって、グリルシャッタの単位グリルに容易に施設可能である。従って、本考案によれば、簡易な構造でグリルシャッタの単位グリルに容易に後付施設することができるシャッタシェードを提供できるという効果を奏する。
【００１８】
さらに、本考案は、上記のごとく簡易な構造であるので、単位グリルのリンクチェーンから突出しないように施設することが可能であり、かつ個々のシャッタシェードを軽量化することが可能である。従って、本考案によれば、施設してもシャッタ巻き上げの障害にならないシャッタシェードを提供できるという効果を奏する。
【図面の簡単な説明】
【００１９】
【図１】本考案の実施の形態のシャッタシェードを施設するグリルシャッタの構成を説明する図である。
【図２】本考案の実施の形態のシャッタシェードの構成を説明する図である。
【図３】本考案の実施の形態のシャッタシェードを施設したグリルシャッタの構成を説明する部分拡大図である。
【図４】本考案の実施の形態の施設配列例を説明するグリルシャッタの全体正面図である。
【図５】本考案の他の実施の形態のシャッタシェードの構成を説明する図である。
【考案を実施するための形態】
【００２０】
本考案を実施するための形態について、図面を参照しつつ、以下に詳細に説明する。
【００２１】
図１は本考案の実施の形態のシャッタシェードを施設するグリルシャッタの構成を説明する図であり、（ａ）は全体正面図、（ｂ）はシャッタ本体の部分拡大正面図、（ｃ）はシャッタ本体の部分拡大側面図である。
【００２２】
図１のように、グリルシャッタ１は、シャッタ本体６０と、２つのシャッタガイド７０，８０と、シャッタ昇降機９０とを備えて構成されている。
【００２３】
シャッタ本体６０は、複数本のパイプ６１０と、複数本のリンクチェーン６２０とを備えて構成されている。複数本のパイプ６１０は、それぞれ水平方向を長手方向として、垂直方向に等間隔で配置されている。また、複数本のリンクチェーン６２０は、それぞれ垂直方向を長手方向として、水平方向に等間隔で配置されている。
【００２４】
１本のリンクチェーン６２０は、上記複数本のパイプ６１０によってリンクされた複数個のチェーン片６２１によって構成されている。隣接する２つのチェーン片６２１は、互いの嵌合部にパイプ６１０を挿通することによって、パイプ６１０を軸にして回動自在にリンクされている。
【００２５】
隣接配置された２本のパイプ６１０と、隣接配置された２本のリンクチェーン６２０とよって、単位グリル６００が構成されている。単位グリル６００において、パイプ６１０とリンクチェーン６２０によって区切られた開口領域が、透視可能なグリル開口部６０１となっている。グリル開口部６０１の長手方向（水平方向）寸法はｘであり、グリル開口部６０１の短手方向（垂直方向）寸法はｙである。
【００２６】
より具体的には、図１（ｂ）において、水平方向に隣接配置されたパイプ６１０−１，６１０−２と、垂直方向に隣接配置されたリンクチェーン６２０−１，６２０−２とによって、単位グリル６００−１が構成されており、その開口領域にグリル開口部６０１−１が形成されている。
【００２７】
同様に、水平方向に隣接配置されたパイプ６１０−２，６１０−３と、垂直方向に隣接配置されたリンクチェーン６２０−１，６２０−２とによって、単位グリル６００−２が構成されており、その開口領域にグリル開口部６０１−２が形成されている。
【００２８】
シャッタガイド７０，８０は、垂直方向を長手方向として、シャッタ本体６０の両端にそれぞれ設けられている。これらのシャッタガイド７０，８０に設けられたガイド溝には、シャッタ本体６０の側端部がそれぞれ上下動自在に遊嵌されている。
【００２９】
シャッタ昇降機９０は、シャッタ本体６０の天側に設置されており、例えば、モータで巻き上げ軸を正転駆動することによって、シャッタ本体６０を巻き上げてシャッタを開き、上記巻き上げ軸を逆転駆動することによって、シャッタ本体６０を降下させてシャッタを閉じる。
【００３０】
図２は本考案の実施の形態のシャッタシェードの構成を説明する図であり、（ａ）は正面図、（ｂ）は側面図である。
【００３１】
図２のように、本考案の実施の形態のシャッタシェード１０は、１枚の遮蔽板１００と、計５枚の取り付け板１１０（第１の取り付け板），１２０（第２の取り付け板），１３０（第３の取り付け板），１４０（第４の取り付け板），１５０（第５の取り付け板）とを備えて構成されており、グリルシャッタ１の単位グリル６００に施設される。
【００３２】
遮蔽板１００は、その長手方向の寸法ｐがグリル開口部６０１の長手方向（水平方向）寸法ｘ未満であり、短手方向の寸法ｑがグリル開口部６０１の短手方向（垂直方向）寸法ｙ未満の板であって、板厚はｒである。この遮蔽板１００は、例えば金属板である。ここでは、遮蔽板１００として、アルミ板を用いる。
【００３３】
なお、シャッタシェード１０を単位グリル６００に施設したときには、遮蔽板１００の表面１００ａは街路等の側に面し、裏面１００ｂは街路等から視えない邸宅等の側（シャッタの内側）に面することとなる。
【００３４】
取り付け板１１０，１２０，１３０，１４０，１５０は、それぞれ、幅寸法がｗ、長さ寸法がｕ＋ｖの略方形の板であり、板厚はｔである。これらの取り付け板１１０，１２０，１３０，１４０，１５０は、例えば金属板である。ここでは、取り付け板１１０，１２０，１３０，１４０，１５０として、アルミ板を用いる。
【００３５】
取り付け板１１０は、接合部１１１と巻き付け部１１２とを有し、取り付け板１２０は、接合部１２１と巻き付け部１２２とを有し、取り付け板１３０は、接合部１３１と巻き付け部１３２とを有し、取り付け板１４０は、接合部１４１と巻き付け部１４２とを有し、取り付け板１５０は、接合部１５１と巻き付け部１５２とを有する。
【００３６】
接合部１１１，１２１，１３１，１４１，１５１は、それぞれ遮蔽板１００の裏面１００ｂに当接固定された部分であり、長さ寸法はｕである。これらの接合部１１１，１２１，１３１，１４１，１５１は、それぞれ２つずつのリベット１６０によって遮蔽板１００にリベット止め固定されている。
【００３７】
取り付け板１１０，１２０，１３０，１４０，１５０を遮蔽板１００にリベット止めするときには、遮蔽板１００およびその裏面１００ｂ側に当接配置された接合部１１１，１２１，１３１，１４１，１５１に、遮蔽板１００の表面１００ａ側からリベットピンを挿貫通させ、このリベットピンを遮蔽板１００の裏面１００ｂ側で潰止したあと、遮蔽板１００の表面１００ａ側のピン部を折る。
【００３８】
これによって、リベット１６０の突起部１６０ａは遮蔽板１００の裏面１００ｂ側に位置することとなり、遮蔽板１００の表面１００ａからのリベット１６０の突起部１６０ａの突出高は僅かなものとなる。また、遮蔽板１００の表面１００ａ側ほどではないものの、遮蔽板１００の裏面１００ｂ側においての接合部１１１，１２１，１３１，１４１，１５１の露出面からのリベット１６０の突出高も低いものとなる。
【００３９】
なお、１枚の取り付け板に設けるリベット１６０の個数は、必要固定強度に応じて設定され、３つ以上のリベット１６０を設けることを可能である。
【００４０】
巻き付け部１１２，１２２，１３２，１４２，１５２は、それぞれ遮蔽板１００の長手方向の端辺１００ｅ（第１端辺）または端辺１００ｆ（第２端辺）から突出した部分であり、長さ寸法はｖである。
【００４１】
これらの巻き付け部１１２，１２２，１３２，１４２，１５２は、シャッタシェード１０をグリルシャッタ１の単位グリル６００に施設するときに、それぞれグリルシャッタ１のパイプ６１０の周面に巻き付けられる部分である。
【００４２】
取り付け板１１０は、遮蔽板１００の長手方向の端辺１００ｅのみから突出するように、遮蔽板１００の短手方向の端辺１００ｇ（第３端辺）の近傍に設置されている。ここでは、取り付け板１１０の端辺１１０ｇが遮蔽板１００の端辺１００ｇと略一致するように設置されている。
【００４３】
取り付け板１２０は、遮蔽板１００の長手方向の端辺１００ｅのみから突出するように、遮蔽板１００の短手方向の端辺１００ｈ（第４端辺）の近傍に設置されている。ここでは、取り付け板１２０の端辺１２０ｈが遮蔽板１００の端辺１００ｈと略一致するように設置されている。
【００４４】
取り付け板１３０は、遮蔽板１００の長手方向の端辺１００ｆのみから突出するようにして、取り付け板１１０の幅寸法ｗ以上、取り付け板１１０よりも遮蔽板１００の長手方向中央寄りに設置されている。ここでは、取り付け板１１０の略幅寸法ｗ分、取り付け板１１０よりも遮蔽板１００の長手方向中央寄りに設置されている。
【００４５】
取り付け板１４０は、その巻き付け部１４２が遮蔽板１００の長手方向の端辺１００ｆのみから突出するようにして、取り付け板１２０の幅寸法ｗ以上、取り付け板１２０よりも遮蔽板１００の長手方向中央寄りに設置されている。ここでは、取り付け板１２０の略幅寸法ｗ分、取り付け板１２０よりも遮蔽板１００の長手方向中央寄りに設置されている。
【００４６】
取り付け板１５０は、遮蔽板１００の長手方向の端辺１００ｆのみから突出するように、遮蔽板１００の長手方向の略中央位置に設けられている。
【００４７】
図３は本考案の実施の形態のシャッタシェードを施設したグリルシャッタの構成を説明する部分拡大図であり、（ａ）は正面図、（ｂ）は側面図である。なお、図３において、上記図１または図２と同様のものには同じ符号を付してある。
【００４８】
図３のように、取り付け板１１０，１２０，１３０，１４０，１５０の巻き付け部１１２，１２２，１３２，１４２，１５２を、それぞれ遮蔽板１００の裏面１００ｂから離れる向きに回屈させて、単位グリル６００の２本のパイプ６１０に巻き付ける。これによって、シャッタシェード１０を単位グリル６００に容易に施設（ここでは後付施設）することができる。
【００４９】
より具体的には、シャッタシェード１０−１の巻き付け部１１２，１２２，１５２を単位グリル６００−１の天側のパイプ６１０−１の周面に巻き付けるとともに、巻き付け部１３２，１４２を地面側のパイプ６１０−２の周面に巻き付けることによって、シャッタシェード１０−１が単位グリル６００−１に施設される。
【００５０】
同様にして、シャッタシェード１０−２の巻き付け部１１２，１２２，１５２を単位グリル６００−１よりも１つ地面側に位置する単位グリル６００−２の天側のパイプ６１０−２の周面に巻き付けるとともに、巻き付け部１３２，１４２を地面側のパイプ６１０−３の周面に巻き付けることによって、シャッタシェード１０−２が単位グリル６００−２に施設される。
【００５１】
それぞれの巻き付け部１１２，１２２，１３２，１４２，１５２は、シャッタの昇降動作（巻き上げ動作および降下動作）の障害にならないように、パイプ６１０の周面を摺回動可能に巻き付けられる。
【００５２】
また、それぞれの巻き付け部１１２，１２２，１３２，１４２，１５２は、シャッタシェード１０が強風時等に水平方向にずれてリンクチェーン６２０に接触干渉することを防止するため、パイプ６１０の軸方向に摺動しない摩擦抵抗を発生するように、パイプ６１０に巻き付けられる。
【００５３】
本考案の実施の形態のシャッタシェード１０では、それぞれの巻き付け部１１２，１２２，１３２，１４２，１５２は、パイプ６１０の周面に半周を超えるように巻き付けられる。これによって、シャッタの昇降動作のときに、シャッタシェード１０がパイプ６１０からはずれることを防止できる。
【００５４】
また、それぞれの巻き付け部１１２，１２２，１３２，１４２，１５２は、パイプ６１０の周面に１周未満となるように巻き付けられる。これによって、シャッタ巻き上げのときに、巻き付け部１１２，１２２，１３２，１４２，１５２の端辺１１２ｅ，１２２ｅ，１３２ｆ，１４２ｆ，１５２ｅがリベット１６０の突起部１６０ａと接触干渉することを防止し易くすることができる。
【００５５】
従って、巻き付け部１１２，１２２，１３２，１４２，１５２の長さ寸法ｖは、パイプ６１０の軸径に応じて、巻き付け部１１２，１２２，１３２，１４２，１５２がパイプ６１０の周面に半周を超えて１周未満巻き付く値に設定されていることが望ましい。ここでは、巻き付け部１１２，１２２，１３２，１４２，１５２がパイプ６１０の周面に略３／４周巻き付く値とする。
【００５６】
本考案の実施の形態のシャッタシェード１０では、遮蔽板１００の長手方向の寸法ｐをグリル開口部６０１の長手方向（水平方向）寸法ｘ未満とし、遮蔽板１００の短手方向の寸法ｑをグリル開口部６０１の短手方向（垂直方向）寸法ｙ未満としている。
【００５７】
これによって、シャッタシェード１０を単位グリル６００に施設したときに、遮蔽板１００の周囲に風を通す隙間ができるので、強風時等において、遮蔽板１００が歪んだり、水平方向にずれることを防止できる。
【００５８】
シャッタシェード１０−１の地面側の取り付け板１３０は、シャッタシェード１０−２の天側の取り付け板１１０よりも幅寸法ｗ以上、遮蔽板１００の長手方向中央寄りに設けられている。また、シャッタシェード１０−１の地面側の取り付け板１４０は、シャッタシェード１０−２の天側の取り付け板１２０よりも幅寸法ｗ以上、遮蔽板１００の長手方向中央寄りに設けられている。
【００５９】
このように、本考案の実施の形態のシャッタシェード１０では、取り付け板１１０と１３０とをそれらの幅寸法ｗ以上ずらして配置するとともに、取り付け板１２０と１４０をそれらの幅寸法ｗ以上ずらして配置する。
【００６０】
これによって、シャッタシェード１０−１，１０−２を上下に隣接する単位グリッド６００−１，６００−２にそれぞれ施設したときに、同じパイプ６１０−２に巻き付けられるシャッタシェード１０−１の地面側の巻き付け部１３２とシャッタシェード１０−２の天側の巻き付け部１１２、および同じパイプ６１０−２に巻き付けられるシャッタシェード１０−１の地面側の巻き付け部１４２とシャッタシェード１０−２の天側の巻き付け部１２２が、それぞれ接触干渉することを防止できる。
【００６１】
本考案の実施の形態１のシャッタシェード１０では、遮蔽板１００の端辺１００e側の略中央位置に取り付け板１５０を配置することによって、遮蔽板１００の端辺１００ｆ側よりも端辺側１００e側に１枚多くの取り付け板を設けている。
【００６２】
このように、遮蔽板１００の端辺１００eの略中央位置に、取り付け板１５０を設けることによって、強風時等においても、遮蔽板１００がばたついたり、歪みを生じたりすることを防止できる。
【００６３】
また、これに加え、パイプ６１０の軸方向においてのパイプ６１０の周面と巻き付け部の摩擦抵抗を大きくすることができるので、シャッタシェード１０が水平方向にずれることを防止する効果を高めることができる。
【００６４】
なお、例えば、３枚の取り付け板１１０，１２０，１５０を設けた側を地面側に、２枚の取り付け板１３０，１４０を設けた側を天側にして、シャッタシェード１０を単位グリル６００に施設することも可能である。また、例えば、中央の取り付け板１５０の幅寸法ｗを、他の取り付け板１１０，１２０，１３０，１４０の幅寸法よりも狭くすることも可能である。
【００６５】
本考案の実施の形態のシャッタシェード１０では、リベット止めによって取り付け板１１０，１２０，１３０，１４０，１５０を遮蔽板１００の裏面１００ｂに固定している。
【００６６】
リベット１６０は、遮蔽板１００の表面１００ａからの突出高が僅かであるので、リンクチェーン６２０の端面から突出することがない。また、遮蔽板１００の裏面１００ｂ側においても、接合部１１１，１２１，１３１，１４１，１５１の露出面からの突起部１６０ａの突出高が低いので、シャッタ巻き上げのときに、パイプ６１０に巻き付けられた巻き付け部１１２，１２２，１３２，１４２，１５２の端辺１１２ｅ，１２２ｅ，１３２ｆ，１４２ｆ，１５２ｅと、リベット１６０の突起部１６０ａとの接触干渉が生じ難い。
【００６７】
さらに、リベット１６０を設けるときに、その周囲の遮蔽板１００の表面１００ａおよび接合部１１１，１２１，１３１，１４１，１５１の露出面を汚したり、損傷したりすることもない。
【００６８】
従って、シャッタ巻き上げの障害になることはなく、シャッタシェードの美感を著しく損ねることもない。
【００６９】
なお、ネジ止めによって取り付け板１１０，１２０，１３０，１４０，１５０を遮蔽板１００に固定することも可能である。ただし、ネジ止めでは、遮蔽板１００の表面１００ａ側，裏面１００ｂ側からのボルトの頭部やナット部の突出高が高くなるため、シャッタ巻き上げの障害になるおそれがある。
【００７０】
また、スポット溶接によって取り付け板１１０，１２０，１３０，１４０，１５０を遮蔽板１００に固定することも可能である。ただし、スポット溶接では、スポット跡が残るため、シャッタシェードの美感を著しく損ねるおそれがある。
【００７１】
遮蔽板１００にアルミ板を用いることによって、シャッタシェード１０の軽量化を図ることができることに加え、シャッタ本体６０に施設されたときのシャッタシェード１０の意匠性を容易に高めることができる。
【００７２】
例えば、ルータを使用して遮蔽板１００の表面１００ａにデザイン画や模様を描くことができる。また、例えば、遮蔽板１００の端辺１００ｅ、１００ｆの取り付け板１１０，１２０，１３０，１４０，１５０が設けられていない部位に切り欠き等を容易に形成することができる。
【００７３】
また、取り付け板１１０，１２０，１３０，１４０，１５０にアルミ板を用いることによって、シャッタシェード１０の軽量化を図ることができることに加え、巻き付け部１１２，１２２，１３２，１４２，１５２を、容易かつきれいにパイプ６１０の周面に巻き付けることができる。
【００７４】
遮蔽板１００の板厚ｒは、その長手方向寸法ｐおよび短手方向寸法ｑに応じて、シャッタ本体６０に施設されたあとに、歪みを生じることなく、かつシャッタシェード１０を無用に重量化させない適正値に設定される。
【００７５】
また、取り付け板１１０，１２０，１３０，１４０，１５０の板厚ｔは、施設のときに、必要な巻き付け強度を確保しつつも、巻き付け部１１２，１２２，１３２，１４２，１５２をきれいにかつ容易に回屈させことができる値に設定される。
【００７６】
従って、上記の要件を満足させるために、遮蔽板１００の板厚ｒと取り付け板１１０，１２０，１３０，１４０，１５０の板厚ｔとを、異なる値とすることが可能であり、異なる値に設定する必要性を生じることがある。
【００７７】
アルミ板を使用したときの遮蔽板１００の板厚ｒは、例えばｒ＝０．８ｍｍ〜１．２ｍｍに設定される。ここでは、遮蔽板１００の板厚ｒ＝１．０ｍｍとする。また、アルミ板を使用したときの取り付け板１１０，１２０，１３０，１４０，１５０の板厚ｔは、例えばｔ＝０．８ｍｍとする。
【００７８】
このように、遮蔽板１００および取り付け板１１０，１２０，１３０，１４０，１５０にアルミ板を使用した場合には、上記の要件を満足させるために、取り付け板１１０，１２０，１３０，１４０，１５０の板厚ｔを遮蔽板１００の板厚ｒよりも薄くすることが望ましい。
【００７９】
接合部１１１，１２１，１３１，１４１，１５１は、遮蔽板１００との取り付け板１１０，１２０，１３０，１４０，１５０と遮蔽板１００の接合強度を、リベット１６０との協働により確保して、遮蔽板１００が剥がれたり、歪んだりしないようにする役目を果たすものであることが必要である。
【００８０】
さらに、接合部１１１，１２１，１３１，１４１，１５１は、リベット１６０の配置自由度（遮蔽板１００の端辺１００ｅ，１００ｆとリベット１６０との距離の自由度）を確保できるほどの長さ寸法ｕを有することが必要である。シャッタ巻き上げのときに、パイプ６１０に巻き付けられた巻き付け部１１２，１２２，１３２，１４２，１５２の端辺が１１２ｅ，１２２ｅ，１３２ｆ，１４２ｆ，１５２ｅと、リベット１６０の突起部１６０ａとが接触干渉しない位置に、リベット１６０を設ける必要があるからである。
【００８１】
また、巻き付け部１１２，１２２，１３２，１４２，１５２は、パイプ６１０に巻き付けられたあと、上記のようにパイプ６１０からはずれることなくパイプ６１０の周面を摺回動可能であることと同時に、パイプ６１０の軸方向には摺動することなく、施設されたシャッタシェード１０が水平方向にずれないようにする役目を果たすものであることが必要である。
【００８２】
しかしながら、取り付け板１１０，１２０，１３０，１４０，１５０の幅寸法ｗおよび接合部１１１，１２１，１３１，１４１，１５１の長さ寸法ｕをむやみに大きくすると、施設されたシャッタシェード１０の美感（特に遮蔽板１００の裏面１００ｂ側の美感）を損ねることになる。
【００８３】
最大幅寸法および最大長さ寸法を同じにしたときに、リベット１６０の配置自由度を確保しつつ、遮蔽板１００との接合面積およびパイプ６１０の周面との接触面積を最も大きくできるのは、取り付け板１１０，１２０，１３０，１４０，１５０を矩形とした場合である。このため、取り付け板１１０，１２０，１３０，１４０，１５０は、略矩形であることが望ましい。
【００８４】
取り付け板１１０，１２０，１３０，１４０，１５０の幅寸法ｗは、遮蔽板１０のサイズに応じて、接合部１１１，１２１，１３１，１４１，１５１および巻き付け部１１２，１２２，１３２，１４２，１５２が、上記のような機能を果たすような適正値に設定される。上記幅寸法ｗは、例えば、遮蔽板１００の長手方向寸法＝６００ｍｍ、短手方向寸法ｑ＝１２０ｍｍのとき、ｗ＝２５ｍｍ〜３５ｍｍに設定される。ここでは、幅寸法ｗ＝３０ｍｍとする。
【００８５】
接合部１１１，１２１，１３１，１４１，１５１の長さ寸法ｕは、上記のように必要な接合強度およびリベット１６０の配置自由度を確保できる値に設定される。上記長さ寸法ｕは、例えば１５ｍｍ〜２０ｍｍに設定される。
ここでは、長さ寸法ｕ＝１８ｍｍとする。
【００８６】
図４は本考案の実施の形態のシャッタシェードの施設配列例を説明するグリルシャッタの全体正面図である。なお、図４において、図１〜図３と同様のものには同じ符号を付してある。
【００８７】
図４（ａ）は、グリルシャッタ本体６０において碁盤の目のように配列された単位グリル６００の内、水平方向の特定の列を構成する単位グリル６００にシャッタシェード１０を施設した例である。
【００８８】
図４（ｂ）は、グリルシャッタ本体６０において碁盤の目のように配列された単位グリル６００に、市松模様を構成するようにシャッタシェード１０を施設した例である。
【００８９】
図４（ｃ）は、グリルシャッタ本体６０において碁盤の目のように配列された単位グリル６００の内、垂直方向の特定の列を構成する単位グリル６００にシャッタシェード１０を施設した例である。
【００９０】
図４（ｄ）は、グリルシャッタ本体６０において碁盤の目のように配列された単位グリル６００の内、グリルシャッタ本体６０の周囲の単位グリル６００を除いた他の単位グリル６００に全てシャッタシェード１０を施設した例である。この図４（ｄ）の例では、シャッタシェード１０の遮蔽板の表面１００ａに、ルータを使用するなどして模様や絵画を描くことにより、容易に意匠性を醸し出すことができる。
【００９１】
図４（ｅ）〜図４（ｈ）の例では、シャッタシェード１０の施設配列を独自のものとする工夫により、遮蔽機能を確保するとともに、シャッタシェード１０の施設配列模様による美感を生じさせ、機能性と意匠性の両立を図っている。
【００９２】
以上のように本考案の実施の形態によれば、遮蔽板１００に計５枚の取り付け板１１０，１２０，１３０，１４０，１５０を固定したのみの簡易な構造であり、これらの取り付け板１１０，１２０，１３０，１４０，１５０の巻き付け部１１２，１２２，１３２，１４２，１５２をグリルシャッタ１のパイプ６１０に巻き付けることのみによって、グリルシャッタ１の単位グリル６００に容易に施設可能であるので、簡易な構造でグリルシャッタの単位グリルに容易に後付施設することができるシャッタシェードを提供できる。
【００９３】
さらに、上記のごとく簡易な構造であることにより、単位グリル６００のリンクチェーン６２０から突出しないように施設することが可能であり、かつ個々のシャッタシェードを軽量化することが可能であるので、施設してもシャッタ巻き上げの障害にならないシャッタシェードを提供できる。
【００９４】
なお、上記本発明の実施の形態において、例えば、遮蔽板１００をアルミ板とし、取り付け板１１０，１２０，１３０，１４０，１５０を他の金属板とすること、あるいは逆に、取り付け板１１０，１２０，１３０，１４０，１５０をアルミ板とし、遮蔽板１００を他の金属板とすることも可能である。
【００９５】
また、上記本発明の実施の形態のシャッタシェード１０は、グリルシャッタ１の設置と同時に、あるいはグリルシャッタ１の設置前にあらかじめ、単位グリル６００に施設可能であることは言うまでもない。
【００９６】
図５は本考案の他の実施の形態のシャッタシェードの構成を説明する図である。なお、図５において、図２と同様のものには同じ符号を付してある。
【００９７】
図５（ａ）において、シャッタシェード２０は、１枚の遮蔽板１００と、計４枚の取り付け板１１０（第１の取り付け板），１２０（第２の取り付け板），１３０（第３の取り付け板），１４０（第４の取り付け板）とを備えて構成されたものである。
【００９８】
つまり、シャッタシェード２０は、上記実施の形態のシャッタシェード１０（図２等参照）において、取り付け板１５０を設けない構成としたものである。
【００９９】
このようなシャッタシェード２０は、例えば、グリル開口部６０１の長手方向（水平方向）寸法ｘが狭い場合や、遮蔽板１００の歪耐性強度が高い場合等に適している。
【０１００】
このシャッタシェード２０では、上記シャッタシェード１０と同様の効果が得られるとともに、上記シャッタシェード１０よりもさらなる軽量化を図ることができる。
【０１０１】
図５（ｂ）において、シャッタシェード３０は、１枚の遮蔽板１００と、計４枚の取り付け板１１０（第１の取り付け板），１２０（第２の取り付け板），１３０（第３の取り付け板），１４０（第４の取り付け板）とを備えて構成され、取り付け板１４０が遮蔽板１００の短手方向の端辺１００ｈの近傍に設置され、取り付け板１２０が取り付け板１４０の幅寸法分以上、取り付け板１４０よりも遮蔽板１００の長手方向中央寄りに設置されている。
【０１０２】
つまり、シャッタシェード３０は、上記実施の形態のシャッタシェード１０（図２等参照）において、取り付け板１５０を設けない構成とするとともに、取り付け板１２０および１４０の設置位置を変更したものである。
【０１０３】
このシャッタシェード３０においても、上記シャッタシェード２０と同様の効果が得られる。
【０１０４】
以上、本考案を実施するための形態について詳細に説明したが、本考案はこれらに限定されるものではなく、その主旨を逸脱しない範囲において種々の変更が可能である。
【符号の説明】
【０１０５】
１  グリルシャッタ
１０，２０，３０  シャッタシェード
６０  シャッタ本体
７０，８０  シャッタガイド
９０  シャッタ昇降機
１００  遮蔽板
１１０  取り付け板
１１１  接合部
１１２  巻き付け部
１２０  取り付け板
１２１  接合部
１２２  巻き付け部
１３０  取り付け板
１３１  接合部
１３２  巻き付け部
１４０  取り付け板
１４１  接合部
１４２  巻き付け部
１５０  取り付け板
１５１  接合部
１５２  巻き付け部
１６０  リベット
６００  単位グリル
６０１  グリル開口部
６１０  パイプ
６２０  リンクチェーン
【図１】
0003165748.tif 000003
【図２】
0003165748.tif 000004
【図３】
0003165748.tif 000005
【図４】
0003165748.tif 000006
【図５】
0003165748.tif 000007